(57)【要約】【課題】通信用の端子に付着した粉塵をカメラ内部に飛散させることなく除去する。【解決手段】カメラ本体（４６０）及びレンズユニット（４１０）の何れか一方に設けられ上記カメラ本体及び上記レンズユニットの何れか他方との通信用の端子（２０２）を有する円環状のマウント部（２００）に、回転可能に装着されるキャップ本体（１１０）と、上記キャップ本体に配され、上記キャップ本体が上記マウント部に回転されながら装着される場合、上記カメラ本体及び上記レンズユニットの何れか他方との通信用の端子に当接し、従動回転する粘着ローラ（１５０）と、を備えるマウントキャップ（１００）を提供する。【選択図】図５
2010145632.tif 000002
【特許請求の範囲】
【請求項１】
カメラ本体及びレンズユニットの何れか一方に設けられ前記カメラ本体及び前記レンズユニットの何れか他方との通信用の端子を有する円環状のマウント部に、回転可能に装着されるキャップ本体と、
前記キャップ本体に配され、前記キャップ本体が前記マウント部に回転されながら装着される場合、前記端子に当接して従動回転する粘着ローラと、
を備えるマウントキャップ。
【請求項２】
前記粘着ローラは、前記キャップ本体が回転されて前記キャップ本体の回転方向へ移動している間に、前記端子における前記キャップ本体の回転方向についての全域に順次当接する請求項１に記載のマウントキャップ。
【請求項３】
前記キャップ本体は、前記マウント部に設けられた被当接部に当接して前記キャップ本体の回転を停止させる周り止め部を備え、
前記粘着ローラは、前記キャップ本体が回転停止位置まで回転された場合、前記端子と当接しながら移動する範囲の外側まで移動する請求項２に記載のマウントキャップ。
【請求項４】
前記キャップ本体は、
前記マウント部に設けられたマウント側バヨネット爪と協働して、前記キャップ本体の前記マウント部に挿入するときの回転方向の位置を複数指定するキャップ側バヨネット爪と、
前記マウント部に設けられた被当接部に当接して前記キャップ本体の回転を停止させる周り止め部と、を備え、
前記キャップ本体は、前記粘着ローラと前記端子との距離が最短となる挿入位置から前記周り止め部が前記被当接部に当接するまで回転した場合に、他の挿入位置から前記周り止め部が前記被当接部に当接するまで回転した場合よりも回転量が大きい請求項２に記載のマウントキャップ。
【請求項５】
前記キャップ本体は、前記マウント部に着脱される基部と、
前記粘着ローラが配され、前記基部に解除可能に係合する着脱部と、
を備える請求項１に記載のマウントキャップ。
【請求項６】
カメラ本体及びレンズユニットの何れか一方に設けられ前記カメラ本体及び前記レンズユニットの何れか他方との通信用の端子を有する円環状のマウント部に、装着されるキャップ本体を備え、
当該キャップ本体には、前記端子を露出させる開口部が形成されたことを特徴とするマウントキャップ。
【発明の詳細な説明】
【技術分野】
【０００１】
本発明は、マウントキャップに関する。
【背景技術】
【０００２】
レンズ交換式のカメラのマウント部に装着されるマウントキャップに粘着材を取り付け、当該粘着材によりカメラ内部の粉塵を除去する技術が知られている（例えば、特許文献１参照）。
【特許文献１】特開２００８−１５０１６号公報
【発明の開示】
【発明が解決しようとする課題】
【０００３】
レンズ交換式のカメラでは、レンズユニットをマウント部に着脱するに際して、レンズユニットを回転させることから、レンズユニット側の通信用端子とカメラ本体側の通信用端子との間に摩擦が生じ、それに起因して通信用端子に粉塵が付着する。通信用端子に付着した粉塵は、カメラ本体とレンズユニットとの通信の障害となる。従って、通信用端子の清掃を要するが、清掃中における粉塵のカメラ本体への混入、通信用端子の損傷を防止することも要する。
【課題を解決するための手段】
【０００４】
上記課題を解決するために、本発明の第１の態様においては、カメラ本体（４６０）及びレンズユニット（４１０）の何れか一方に設けられ上記カメラ本体及び上記レンズユニットの何れか他方との通信用の端子（２０２）を有する円環状のマウント部（２００）に、回転可能に装着されるキャップ本体（１１０）と、上記キャップ本体に配され、上記キャップ本体が上記マウント部に回転されながら装着される場合、上記カメラ本体及び上記レンズユニットの何れか他方との通信用の端子に当接し、従動回転する粘着ローラ（１５０）と、を備えるマウントキャップ（１００）を提供する。
【０００５】
なお、上記の発明の概要は、本発明の必要な特徴の全てを列挙したものではない。また、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００７】
図１は、一眼レフタイプのデジタルカメラ１０１の概略構成を示す中央縦断面図である。この図に示すように、デジタルカメラ１０１は、光学部材４２０と、レンズ鏡筒４３０と、ＣＣＤ等の撮像部５００とを備える。レンズ鏡筒４３０は光学部材４２０を収容する。撮像部５００は、光学部材４２０によって結像された画像を撮像する。
【０００８】
また、デジタルカメラ１０１は、光学部材４２０、レンズ鏡筒４３０を備えるレンズユニット４１０と、ボディ４６０を含む。レンズユニット４１０は、ボディマウント２００を介して、ボディ４６０に対して着脱自在に装着される。
【０００９】
光学部材４２０は、図中で左側にあたる入射端から順次配列された、フロントレンズ４２２、コンペンセータレンズ４２４、フォーカシングレンズ４２６およびメインレンズ４２８を含む。フォーカシングレンズ４２６およびメインレンズ４２８の間には、アイリスユニット４４０が配置される。
【００１０】
ボディ４６０は、ミラーユニット５２０、ペンタプリズム４７０、接眼系４９０を含む光学部材を収容する。ミラーユニット５２０は、レンズユニット４１０を通過した入射光を反射及び透過するハーフミラーであるメインミラー５２２を備える。メインミラー５２２は、入射光の光路上に傾斜して配置されるダウン位置と、入射光を避けて上昇するアップ位置との間を移動する。
【００１１】
ダウン位置に位置するメインミラー５２２は、入射光の大半を、上方に配置されたペンタプリズム４７０に導く。ペンタプリズム４７０は、入射光の鏡映を接眼系４９０に向かって出射するので、フォーカシングスクリーンの映像を接眼系４９０から正像として見ることができる。入射光の残りは、ペンタプリズム４７０により測光ユニット４８０に導かれる。測光ユニット４８０は、入射光の強度およびその分布等を測定する。
【００１２】
また、ミラーユニット５２０は、メインミラー５２２における入射面に対する裏面側にサブミラー５２４を有する。サブミラー５２４は、入射光の光路上に傾斜して配置されるダウン位置と、入射光を避けて上昇するアップ位置との間を移動する。
【００１３】
ダウン位置に位置するサブミラー５２４は、メインミラー５２２を透過した入射光を、下方に配置された測距ユニット５３０に導く。即ち、メインミラー５２２及びサブミラー５２４がダウン位置に位置する場合は、測距ユニット５３０が被写体までの距離を測定する。なお、メインミラー５２２がアップ位置に移動した場合は、サブミラー５２４もアップ位置に移動する。
【００１４】
更に、入射光に対してメインミラー５２２の後方には、フォーカルプレーンシャッタ５４０、ローパスフィルタ５１０および撮像部５００が順次配置される。フォーカルプレーンシャッタ５４０が開放される場合、その直前にメインミラー５２２及びサブミラー５２４がアップ位置に移動するので、入射光は直進して撮像部５００に入射される。これにより、入射光の形成する画像が電気信号に変換される。これにより、撮像部５００は、レンズユニット４１０によって結像された画像を撮像する。
【００１５】
また、ボディマウント２００の奥側には、レンズユニット４１０のレンズマウント４１２に配されたピン状の通信用端子４１４と接触する面状の通信用端子２０２が配されている。ボディ４６０とレンズユニット４１０とは、通信用端子４１４と通信用端子２０２とを介して通信する。
【００１６】
図２は、バヨネット式のボディマウント２００にボディマウントキャップ１００を装着した状態を示す中央縦断面図である。この図に示すように、ボディマウントキャップ１００は、レンズユニット４１０が取り外されたボディマウント２００に、その中心軸の周りに回転されながら装着される。ボディマウントキャップ１００には、通信用端子２０２を清掃する複数の粘着ローラ１５０が配されている。
【００１７】
図３は、ボディマウントキャップ１００を示す分解斜視図であり、図４は、ボディマウントキャップ１００を示す斜視図である。これらの図に示すように、ボディマウントキャップ１００は、キャップ本体１１０と、キャップ本体１１０に配された複数の粘着ローラ１５０とを備えている。キャップ本体１１０は、複数のバヨネット爪１２２、１２３、１２４が配されたキャップ部１２０と、キャップ部１２０と解除可能に係合する着脱部１３０とを備えている。粘着ローラ１５０は、着脱部１３０に配されている。
【００１８】
キャップ部１２０は、ボディマウント２００を覆う外装部１２６と、ボディマウント２００に挿入される円環状の装着部１２８を備えている。外装部１２６は円盤状に形成されており、その周縁部はカメラ側に曲がっている。また、外装部１２６と装着部１２８とは同軸的に配されており、外装部１２６は、装着部１２８の軸方向一端部を塞いでいる。
【００１９】
また、装着部１２８の軸方向他端部には、複数のバヨネット爪１２２、１２３、１２４が、装着部１２８の周方向に等間隔おきに配されている。バヨネット爪１２２、１２３、１２４は、装着部１２８から外周側へ張り出した円弧状のリブであり、周方向の長さは均一である。
【００２０】
また、装着部１２８の内周側には、一対の係止爪１２７が装着部１２８の中心軸に対して対称に配されている。係止爪１２７は、外装部１２６に立設されており、爪部を外周側に向けている。また、装着部１２８の内周壁部には、キー１２９が形成されている。
【００２１】
着脱部１３０は、円環状に形成されている。着脱部１３０の軸方向一端側は、他端側より外径が小さくなっており、装着部１２８の内周部に嵌合している。また、着脱部１３０の内周部には、キー１２９と嵌合するキー溝１３２が形成されている。キー１２９とキー溝１３２とが嵌合することにより、着脱部１３０の周り止めがなされ、着脱部１３０の周方向位置が決まる。また、着脱部１３０の内周部には、一対の係止部１３４が、係止爪１２７に対応して配されている。係止部１３４は、係止爪１２７の爪部が係止する凹部であり、係止爪１２７が係止部１３４に係止することにより、着脱部１３０とキャップ部１２０とが係合する。
【００２２】
ここで、係止爪１２７は、装着部１２８の半径方向に弾性変形する。このため、係止爪１２７を装着部１２８の内径方向へ弾性変形させることにより、係止爪１２７と係止部１３４との係合を解除させることができ、着脱部１３０をキャップ部１２０から取り外すことができる。
【００２３】
着脱部１３０の軸方向他端部には、複数の粘着ローラ１５０が配されている。粘着ローラ１５０は、着脱部１３０の周方向に並べて配されている。また、粘着ローラ１５０の回転軸は、着脱部１３０の軸方向と平行となっている。また、粘着ローラ１５０の周面には、粘着材が配されている。
【００２４】
図５は、ボディマウント２００に装着された状態のボディマウントキャップ１００を示す正面断面図である。この図に示すように、複数のバヨネット爪１２２、１２３、１２４は、キャップ本体１１０の中心軸の周りに等間隔で配されている。また、複数のバヨネット爪１２２、１２３．１２４の周方向の長さは同一となっている。粘着ローラ１５０は、バヨネット爪１２２における図中反時計回り方向の端部と、当該方向の位置が一致するように配されている。
【００２５】
ボディマウント２００は、円環状に形成されており、その内周部には、複数のバヨネット爪２０４、２０５、２０６が形成されている。複数のバヨネット爪２０４、２０５、２０６は、円弧状のリブであって、ボディマウント２００の内周部から内径側へ張り出している。複数のバヨネット爪２０４、２０５、２０６の間隔は、不均一である。一部が通信用端子２０２と重なって配されたバヨネット爪２０４とそのバヨネット爪２０４の図中時計回り方向に隣設されたバヨネット爪２０５との間隔が最も広く、バヨネット爪２０４とバヨネット爪２０６との間隔が最も狭くなっている。
【００２６】
バヨネット爪２０４とバヨネット爪２０６との間隔は、バヨネット爪１２２、１２３、１２４の周方向の長さよりも広くなっている。また、バヨネット爪１２２、１２３、１２４のうちの一つを、バヨネット爪２０４、２０５、２０６の間の切欠部２０７、２０８、２０９のうちの一つに挿入した場合に、残りのバヨネット爪が残りの切欠部に挿入される。なお、切欠部２０７は、バヨネット爪２０４とバヨネット爪２０６との間に、切欠部２０８は、バヨネット爪２０４とバヨネット爪２０５との間に、切欠部２０９は、バヨネット爪２０５とバヨネット爪２０６との間に配されている。
【００２７】
バヨネット爪１２２、１２３、１２４と切欠部２０７、２０８、２０９との位置を合せてキャップ本体１１０の着脱部１３０及び装着部１２８をボディマウント２００に挿入すると、バヨネット爪１２２は、バヨネット爪２０４、２０５、２０６よりカメラ内部側に移動する。これにより、キャップ本体１１０は、ボディマウント２００の中心軸の周りに回転可能となる。
【００２８】
ここで、キャップ本体１１０の着脱部１３０の外周部には、回り止め部１３６が設けられている。回り止め部１３６は、着脱部１３０の外周部から突出したネジであり、バヨネット爪１２３における図中反時計回り方向の端部と、回転方向の位置が一致するように配されている。
【００２９】
このため、キャップ本体１１０を図中反時計周りに回転させた場合には、回り止め部１３６がバヨネット爪２０４に当接することにより、キャップ本体１１０の回転が制限される。また、キャップ本体１１０を図中時計回りに回転させた場合には、回り止め部１３６がバヨネット爪２０５に当接することにより、キャップ本体１１０の回転が制限される。また、バヨネット爪２０４、２０５、２０６の裏面には板ばねが配されており、バヨネット爪１２２、１２３、１２４は、バヨネット爪２０４、２０５、２０６と板ばねとにより狭持される。
【００３０】
ここで、バヨネット爪１２２の位置を切欠部２０７、２０８、２０９の何れに挿入した場合でも、バヨネット爪１２３、１２４が、残りの切欠部に挿入されるが、図示するように、バヨネット爪１２２を切欠部２０７に挿入した場合に、粘着ローラ１５０と通信用端子２０２との距離が最も近くなる。このとき、粘着ローラ１５０は、通信用端子２０２より図中反時計回り方向に位置する。
【００３１】
図６は、バヨネット爪１２２を切欠部２０７に挿入してキャップ本体１１０を図中時計回り方向に回転させている状態を示す正面断面図である。この図に示すように、バヨネット爪１２２を切欠部２０７に挿入してキャップ本体１１０を図中時計回り方向に回転させると、粘着ローラ１５０が通信用端子２０２に当接して従動回転する。粘着ローラ１５０の周面には粘着材が設けられていることから、通信用端子２０２に付着していた粉塵が当該粘着材に付着する。これにより、通信用端子２０２に付着していた粉塵が、カメラ内部に飛散することなく除去される。
【００３２】
ここで、粘着ローラ１５０が通信用端子２０２に当接して従動回転することにより、通信用端子２０２と清掃部材との摩擦を抑制できる。従って、通信用端子２０２の摩耗劣化及び損傷を抑制できると共に、通信用端子２０２における新たな粉塵の発生を抑制できる。
【００３３】
図７は、バヨネット爪１２２を切欠部２０７に挿入してキャップ本体１１０を回り止め部１３６がバヨネット爪２０５に当接するまで回転させた状態を示している。この図に示すように、当該状態では、粘着ローラ１５０が、通信用端子２０２より図中時計回り方向に位置する。即ち、キャップ本体１１０を挿入位置から停止位置まで回転させた場合、粘着ローラ１５０が、通信用端子２０２におけるキャップ本体１１０の回転方向についての全域に順次当接した後、通信用端子２０２と当接する範囲の外側まで移動する。
【００３４】
これにより、通信用端子２０２におけるキャップ本体１１０の回転方向についての全域が、粘着ローラ１５０により順次清掃される。また、ボディマウントキャップ１００が装着されて最大量回転された状態で、粘着ローラ１５０が通信用端子２０２から離間するので、粘着ローラ１５０に粘着させて通信用端子２０２から除去した粉塵が通信用端子２０２に再付着することを防止できる。
【００３５】
ここで、切欠部２０８は、切欠部２０７、２０９よりも周方向の長さが長い。そして、回り止め部１３６は、バヨネット爪１２２を切欠部２０７に挿入した場合に、切欠部２０８に、バヨネット爪１２３と共に挿入される。また、回り止め部１３６は、切欠部２０８における図中反時計回り方向の端部に挿入される。
【００３６】
このため、バヨネット爪１２２を切欠部２０７に挿入した場合における、キャップ本体１１０の図中時計回り方向へ回転できる量は、バヨネット爪１２３、１２４を切欠部２０７に挿入した場合における、キャップ本体１１０の図中時計回り方向へ回転できる量より大きい。従って、粘着ローラ１５０の移動可能範囲を効率よく拡大できる。
【００３７】
また、粘着ローラ１５０が配された着脱部１３０が、係止爪１２７及び係止部１３４により、キャップ部１２０に対して、解除可能に係合されている。このため、粘着ローラ１５０が配された着脱部１３０のキャップ部１２０に対する着脱が容易であり、粘着ローラ１５０の交換が容易である。
【００３８】
図８は、他の実施形態に係るボディマウントキャップ３００をボディマウント２００に装着した状態を示す中央縦断面図である。この図に示すように、ボディマウントキャップ３００は、レンズユニット４１０が取り外されたボディマウント２００に、その中心軸に沿って押し込まれる。ボディマウントキャップ３００には、通信用端子２０２と対向する矩形状の開口３０２が形成されている。当該実施形態では、清掃具３１０を用いて、開口３０２から通信用端子２０２を清掃する。
【００３９】
図９は、ボディマウントキャップ３００及び清掃具３１０を示す斜視図である。この図に示すように、ボディマウントキャップ３００は、ボディマウント２００の内周部に挿入される底付円筒状の挿入部３０４と、ボディマウント２００の外周部と嵌り合う嵌合部３０６とを備えている。
【００４０】
挿入部３０４の奥部は、底蓋３０５により閉塞されている。また、開口３０２は、挿入部３０４の周壁部に周方向に沿って形成されており、通信用端子２０２を露出させている。
【００４１】
清掃具３１０は、円柱状の棒材３１２と、開口３０２の幅より狭幅の粘着ローラ３１４とを備えている。棒材３１２と粘着ローラ３１４とは、同軸的に配されており、粘着ローラ３１４は、棒材３１２の軸の周りに回転する。
【００４２】
通信用端子２０２を清掃する場合には、粘着ローラ３１４の周面を、開口３０２を通して通信用端子２０２に対向させ、開口３０２に当接させる。そして、棒材３１２をボディマウント２００の周方向に移動させる。これにより、粘着ローラ３１４が、通信用端子２０２に当接して従動回転しながら移動する。よって、通信用端子２０２に付着していた粉塵が、粘着ローラ３１４に粘着され、通信用端子２０２から除去される。
【００４３】
ここで、開口３０２を除いて、ボディマウント２００の内部は、ボディマウントキャップ３００により塞がれている。また、ボディマウントキャップ３００は、ボディマウント２００の軸方向に沿って真っ直ぐ押し込むことにより装着され、真っ直ぐ引き抜くことにより取り外される。このため、ボディマウントキャップ３００内の粉塵がカメラ内部に飛散することを防止できる。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４５】
例えば、本実施形態では、通信用端子２０２をボディマウント２００の内径方向に向けて配すると共に、粘着ローラ１５０をボディマウントキャップ１００の外周部に配した。しかし、これに限らず、通信用端子２０２を被写体側に向けて配すると共に、粘着ローラ１５０をボディマウントキャップ１００における通信用端子２０２と対向する面に配してもよい。この場合、粘着ローラ１５０は、光軸に対して直交する面上を転がるように配すればよい。
【００４６】
また、ボディマウント２００に装着されるボディマウントキャップ１００、３００の実施形態について説明した。しかし、レンズマウントに装着されるレンズマウントキャップに粘着ローラ１５０を配して、レンズマウント４１２に配された通信用端子４１４を清掃してもよい。
【００４７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【図面の簡単な説明】
【００４８】
【図１】一眼レフタイプのデジタルカメラ１０１の概略構成を示す中央縦断面図である。
【図２】バヨネット式のボディマウント２００にボディマウントキャップ１００を装着した状態を示す中央縦断面図である。
【図３】バヨネット式のボディマウント２００に着脱されるボディマウントキャップ１００を示す分解斜視図である。
【図４】当該ボディマウントキャップ１００を示す斜視図である。
【図５】ボディマウント２００に装着された状態のボディマウントキャップ１００を示す正面断面図である。
【図６】バヨネット爪１２２を切欠部２０７に挿入してキャップ本体１１０を図中時計回り方向に回転させている状態を示す正面断面図である。
【図７】バヨネット爪１２２を切欠部２０７に挿入してキャップ本体１１０を回り止め部１３６がバヨネット爪２０５に当接するまで回転させた状態を示している。
【図８】他の実施形態に係るボディマウントキャップ３００をボディマウント２００に装着した状態を示す中央縦断面図である。
【図９】ボディマウントキャップ３００及び清掃具３１０を示す斜視図である。
【符号の説明】
【００４９】
１００  ボディマウントキャップ、１０１  デジタルカメラ、１１０  キャップ本体、１２０  キャップ部、１２２、１２３、１２４  バヨネット爪、１２６  外装部、１２７  係止爪、１２８  装着部、１２９  キー、１３０  着脱部、１３２  キー溝、１３４  係止部、１３６  回り止め部、１５０  粘着ローラ、２００  ボディマウント、２０２  通信用端子、２０４、２０５、２０６  バヨネット爪、２０７、２０８、２０９  切欠部、３００  ボディマウントキャップ、３０２  開口、３０４  挿入部、３０５  底蓋、３０６  嵌合部、３１０  清掃具、３１２  棒材、３１４  粘着ローラ、４１０  レンズユニット、４１２  レンズマウント、４１４  通信用端子、４２０  光学部材、４２２  フロントレンズ、４２４  コンペンセータレンズ、４２６  フォーカシングレンズ、４２８  メインレンズ、４３０  レンズ鏡筒、４４０  アイリスユニット、４６０  ボディ、４７０  ペンタプリズム、４８０  測光ユニット、４９０  接眼系、５００  撮像部、５１０  ローパスフィルタ、５２０  ミラーユニット、５２２  メインミラー、５２４  サブミラー、５３０  測距ユニット、５４０  フォーカルプレーンシャッタ
【図１】
2010145632.tif 000003
【図２】
2010145632.tif 000004
【図３】
2010145632.tif 000005
【図４】
2010145632.tif 000006
【図５】
2010145632.tif 000007
【図６】
2010145632.tif 000008
【図７】
2010145632.tif 000009
【図８】
2010145632.tif 000010
【図９】
2010145632.tif 000011